(57)【特許請求の範囲】
【請求項１】
所定のプログラムの実行により作成されたファイルの識別情報を含み、該ファイルを作成したことを通知するメッセージを表示し、
前記表示されたメッセージ内の前記ファイル識別情報に対する指示を検出し、前記指示の検出に応じて、前記ファイルに対する所定の処理を実行する、ことを特徴とするファイル処理制御方法。
【請求項２】
前記ファイルに対する所定の処理は、該ファイル内容の表示、再生、印刷、外部への送信のいずれかであることを特徴とする請求項１記載のファイル処理制御方法。
【請求項３】
前記メッセージは前記識別情報に対する指示を検出するための特定情報を含み、
該特定情報により前記識別情報に対する指示を検出することを特徴とする請求項１記載のファイル処理制御方法。
【請求項４】
前記ファイルの属性を判断し、
前記ファイルに対する所定の処理は、該ファイルを処理対象として前記属性に関連付けられたアプリケーションプログラムを起動させることを特徴とする請求項１記載のファイル処理制御方法。
【請求項５】
前記特定情報はメッセージが表示される際に不可視となるものであることを特徴とする請求項４記載のファイル処理制御方法。
【請求項６】
前記特定情報は前記ファイルの識別情報の前後に配置し、
前記特定情報により挟まれる文字データを前記ファイルの識別情報として認識することを特徴とする請求項４記載のファイル処理制御方法。
【請求項７】
前記ファイル識別情報に対する指示は、ポインティングデバイスの操作による指示であることを特徴とする請求項１記載のファイル処理制御方法。
【請求項８】
前記ファイル識別情報はファイル名であることを特徴とする請求項１記載のファイル処理制御方法。
【請求項９】
所定のプログラムの実行によりファイルを作成するファイル作成部と、
前記作成されたファイルの識別情報を含み、該ファイルを作成したことを通知するメッセージを作成するメッセージ作成部と、
前記メッセージを表示させる表示制御部と、
前記メッセージ内の前記ファイル識別情報に対する指示を検出する検出部と、前記指示の検出に応じて、前記ファイルに対する所定の処理を実行する実行部と、
を備えることを特徴とするデータ処理装置。
【請求項１０】
前記実行部は、ファイルに対する所定の処理として、該ファイル内容の表示、再生、印刷、外部への送信のいずれかを実行させるものであることを特徴とする請求項９記載のデータ処理装置。
【請求項１１】
前記メッセージ作成部は、前記ファイルの識別情報に対する指示を検出するための特定情報をさらに含む前記メッセージを作成し、
前記検出部は、該特定情報により前記識別情報に対する指示を検出することを特徴とする請求項９記載のデータ処理装置。
【請求項１２】
ファイルの属性を判断する判断部を備え、
前記実行部は、前記ファイルに対する所定の処理として、該ファイルを処理対象として前記属性に関連付けられたアプリケーションプログラムを起動させるものであることを特徴とする請求項９記載のデータ処理装置。
【請求項１３】
前記特定情報はメッセージが表示される際に不可視となるものであることを特徴とする請求項１１記載のデータ処理装置。
【請求項１４】
前記メッセージ作成部は、前記特定情報を前記ファイルの識別情報の前後に配置し、
前記実行部は、前記特定情報により挟まれる文字データを前記ファイルの識別情報として認識することを特徴とする請求項１１記載のデータ処理装置。
【請求項１５】
前記ファイル識別情報に対する指示は、ポインティングデバイスの操作による指示であることを特徴とする請求項９記載のデータ処理装置。
【請求項１６】
前記ファイル識別情報はファイル名であることを特徴とする請求項９記載のデータ処理装置。
【請求項１７】
コンピュータに、
所定のプログラムの実行により作成されたファイルの識別情報を含み、該ファイルを作成したことを通知するメッセージを表示させ、
前記表示されたメッセージ内の前記ファイル識別情報に対する指示を検出させ、
前記指示の検出に応じて、前記ファイルに対する所定の処理を実行させるプログラムを記録したコンピュータ読取可能な記録媒体。
【請求項１８】
前記ファイルに対する所定の処理は、前記ファイルを処理対象として該ファイルの属性に関連付けられたアプリケーションプログラムを起動させることである前記プログラムを記録した請求項１７記載のコンピュータ読取可能な記録媒体。
【発明の詳細な説明】
【０００１】
【発明の属する技術分野】
本発明は、パーソナルコンピュータ等のコンピュータにおけるファイル処理制御方法に関する。
パーソナルコンピュータ（以下、パソコンとも称す）内に蓄積される文書データ、画像データ、音声データ等の種々の情報データは、通常、ファイルという単位で保存される。これらのファイルにはそれぞれ固有の名称、すなわちファイル名が付与される。ユーザは自己が欲する情報データが保存されているファイルを、そのファイル名によって検索し、パソコンのディスプレイ上にその情報データを表示させる。
【０００２】
本発明は、上述のように、ファイル名を検索し、当該ファイルの内容をディスプレイ上に表示する、またはその他の処理のための方法、すなわちファイルの処理制御方法について述べる。
【０００３】
【従来の技術】
パソコンにおいて、ファイルをオープンする場合、一般に、ファイル管理ソフトを起動する。このファイル管理ソフトが起動されると、ディスプレイには、パソコン内に保存されている多数のファイルの各ファイル名が、階層構造の形で表示される。ユーザは、表示された各種のファイル名の中から、自己が欲する１つのファイル名を検索し、そのファイル名を見付けたならば、次に“オープン”と称されるコマンドを実行する。このコマンド“オープン”の実行によって、ユーザは、目的とするファイルの中身をディスプレイ上で見ることができる。
【０００４】
【発明が解決しようとする課題】
パソコンの利用形態はきわめて多岐に亘るが、その中で、次のような２つの利用形態（ｉ）および（ｉｉ）がしばしば発生する。
（ｉ）入力ファイルＡに対して所定のプログラムが実行された後、出力ファイルＢが展開される、という利用形態である。この利用形態においては、出力ファイルＢが展開されたことをユーザに通知するためのメッセージがパソコンのディスプレイ上に表示される。
【０００５】
（ｉｉ）１つまたはそれ以上のファイル名を包含する文章からなるテキストをパソコンのディスプレイ上に表示させ、ユーザはそのテキストの内容を読み取る、という利用形態である。
上記の利用形態（ｉ）においては、ユーザが、通知された上記メッセージを見てその中に記述されている上記の展開された出力ファイルＢの中身を確認したい、という要求がしばしば生ずる。
【０００６】
また上記の利用形態（ｉｉ）においても、ユーザが、テキストの中に記述されている、上記ファイル名を有するファイルの中身を確認したい、という要求がしばしば生ずる。
上述したような要求が生ずると、ユーザは、当該ファイルの中身を確認するためのファイルオープン操作を新たに開始する。このファイルオープン操作の開始に当ってユーザはまず当該ファイル名を記憶する。そして、ユーザは既に述べたように
（１）ファイル管理ソフトを起動し、
（２）階層構造で表示された各種のファイル名の中から、記憶しているファイル名と一致するものを検索し、
（３）一致するファイル名が見付かったならば、上記のコマンド“オープン”を実行し、
（４）そのコマンドの実行によってオープンされた所望のファイルの中身を見る、
という一連のファイルオープン操作を行う。
【０００７】
上述のとおり、上記の通知されたメッセージの中にファイル名が記述されている場合、あるいは読み取り中のテキストの中にファイル名が記述されている場合のいずれの場合においても、ユーザはそのファイル名を有するファイルの中身を即座にディスプレイ上にオープンさせることができない。すなわち、そのファイル名を有するファイルの中身をオープンさせるには、ユーザは上述したファイルオープン操作を改めて開始し、上記の一連の操作（１），（２），（３）および（４）を行わなければならない。この一連の操作には例えば１０数秒を要するため、ユーザに対し煩わしいパソコン操作と不快な待ち時間とを強いるという問題がある。
【０００８】
したがって本発明は、上記問題点に鑑み、煩わしいコンピュータ操作と不快な待ち時間をユーザに強いることなく、ディスプレイ上のファイル名から簡便にファイルの操作ができる、コンピュータにおけるファイル処理制御方法、データ処理装置、プログラムを記録した記録媒体を提供することを目的とするものである。
【０００９】
【課題を解決するための手段】
図１は本発明に係る使用形態を示すフローチャートである。ただし第１および第２の使用形態を一緒に示している。
第１の使用形態は、ファイルの識別情報を含み、処理結果を通知するメッセージを表示し、前記表示されたメッセージ内の前記ファイル識別情報に対する指示を検出し、前記指示の検出に応じて、前記ファイルに対する所定の処理を実行するものである。
【００１０】
また第２の使用形態は、処理対象テキスト内のファイル識別情報を検出し、該処理対象テキストから該ファイル識別情報を認識するための特定情報を含む出力テキストを作成し、前記作成された出力テキストの内容を表示し、前記特定情報により前記表示された出力テキスト内容における前記ファイル識別情報に対する指示を検出し、前記指示の検出に応じて前記ファイルに対する所定の処理を実行するものである。
【００１１】
上述した指示のための手段としては、マウス、カーソル移動キー、ライトペン等種々の周知のタイプがある。本発明においては、代表的なマウスを例にとって説明する。
図１を参照すると、第１ステップ（Ｓ１）において、コンピュータ（例えば、パソコン）のディスプレイ上に前述のメッセージあるいは出力テキストが表示される。その表示されるメッセージ内のファイルの識別情報（例えば、ファイル名）の部分には、該ファイル識別情報が指示されたことを検出するための特定情報（例えば、タグ情報）が含まれる。また、上記出力テキストを作成する際に処理対象となったテキスト内のファイル識別情報を検出し、該出力テキスト内のファイル識別情報の部分には、該ファイル識別情報が指示されたことを検出するための特定情報が含まれる。
【００１２】
このように、メッセージまたは出力テキストの作成の際に、本発明の装置やプログラムによりファイル識別情報の指示を検出するための特定情報を挿入するようにしている。
このように作成され、ディスプレイ上に表示されたメッセージあるいは出力テキストの内容をユーザは読み取る。これは通常のパソコン操作の一態様である。この場合、ユーザがそのファイル名を見て、当該ファイルの中身をすぐに確認したい、または他の処理を実行したいと欲することがしばしば生じる。そこで次のステップが開始する。
【００１３】
第２ステップ（Ｓ２）において、ユーザは、上記のメッセージ中に記述されたファイルのファイル名または上記の出力テキスト中に記述されたファイル名を、パソコンのディスプレイ上でマウスにより直接クリックする。
第３ステップ（Ｓ３）において、上記のクリックの直後にパソコンのディスプレイ上にオープンされた当該ファイルの中身をユーザが確認する。さらに必要ならば、その中身にデータ加工を行うこともできる。これは上記の第１ステップと同様に通常のパソコン操作の一態様である。
【００１４】
図１において本発明に係る特徴的なステップは第２ステップ（Ｓ２）である。この第２ステップに相当する従来の処理は、既に述べたとおり、
（１）ファイル管理ソフトを起動し、（２）階層構造で表示された各種のファイル名の中から、ユーザが記憶しているファイル名と一致するものを検索し、（３）一致するファイル名が見付かったならば、コマンド“オープン”を実行する、という一連の処理である。
【００１５】
この一連の処理は、早くファイルの中身を見たい、または他の処理を実行したいユーザに対し、煩わしいパソコン操作と不快な待ち時間とを強いるものである。
これに対し本発明によれば、上記第２ステップに示すとおり、早く見たいファイルのファイル名を、パソコンのディスプレイ上で、単に直接クリックするだけで済む。
【００１６】
【発明の実施の形態】
図２は本発明の使用形態の第１例を示す図である。本図において、１はコンピュータ（パソコン）、２はパソコン１の一部をなすディスプレイ、３はディスプレイ２上に現れた各種のキャラクタのうち所望のものを指定するためのポインティングデバイス（マウス）、４はパソコンの動作に不可欠なプログラム等の記録媒体収容部である。この収容部４の意味は、これと連係するパソコン本体内のメモリも含むものとする。
【００１７】
このパソコンは公知のものと同様の構成をとり、ＣＤ−ＲＯＭやフロッピーディスクなどの記録媒体に記録されたプログラムをハードディスクにインストールし、インストールされたプログラムを起動することで種々の機能を実現できる。本発明のプログラムも記録媒体から読み取ってハードディスクに格納され、起動指示によりハードディスクからメモリにロードされて、このパソコンを請求項に記述の構成要件の各部となすように機能させる。
【００１８】
パソコンの使用例の１つとして、翻訳ソフトにおける一括翻訳処理があり、図２はその処理の一部についての表示例を示している。
日本語で書かれたテキストファイルＡを英語に一括翻訳させるものとする。この一括翻訳が終了すると、テキストＡ（入力ファイル）をテキストＢ（出力ファイル）に翻訳したことをユーザに通知するためのメッセージがディスプレイに表示される。図２の実際の例ではそのメッセージが、
“入力ファイルａ．ｔｘｔを対訳形式でＣ：￥ｔｍｐ￥ａ．ｔｒｃに保存しました。”
と表示される。ここでユーザが、マウス３により、ディスプレイ２上のａ．ｔｘｔやＣ：￥ｔｍｐ￥ａ．ｔｒｃ（アンダーラインを付して示す）のファイル名を見て、これらのファイルの中身を見たいと思ったときは、これらのファイル名の部分を直接マウス３でクリックする。その直後に、ディスプレイ２上には当該ファイルの中身が表示される。
【００１９】
図３は本発明の使用形態の第２例を示す図である。この第２例は、前述した、ファイル名を包含するテキストの一部を示している。
“このようなＬｏｇｏマークを使用して下さい。
ＬｏｇｏＭａｒｋ．  ｂｍｐ”
のうちＬｏｇｏＭａｒｋ．ｂｍｐ（アンダーラインを付して示す）のファイル名を見て、このファイルの中身を見たいと思ったユーザは、そのファイル名の部分を、ディスプレイ２上でマウス３により直接クリックする。その直後に、ディスプレイ２上には当該ファイルの中身が表示される。
【００２０】
上記の説明は、マウス３によりクリックされたファイル名を有するファイルが文字データを格納している場合を例にとって行ったが、そのファイルが非文字データを格納していても本発明は適用可能である。すなわち、ファイル名を包含するテキストが、パソコン１のディスプレイ２上に表示されユーザにより読み取られているとき、そのテキスト内に記述されたファイル名を有するファイルが、音声データまたは画像データからなる非文字データを格納している場合、これらのファイル名をマウス３により直接クリックして、当該ファイルに含まれる当該音声または画像を出力させるようにすることもできる。
【００２１】
図４は本発明ファイル処理制御方法を実施するためのフローチャートを示す図である。
第１ステップ（Ｓ１１）は本発明を実施する上で最も基本的なステップとなる。図４においては、前述したメッセージの場合とテキストの場合を一緒にして該第１ステップ（Ｓ１１）を表現しているが、これらを独立に表現すると次のようになる。
【００２２】
前述の一括翻訳を例として説明する。
（ｉ）メッセージの場合
例えば、前述の一括翻訳の場合、処理対象ファイルのテキスト内容を一括翻訳して翻訳結果テキストを内容とする新たな出力ファイルが作成される。その一括翻訳処理が終了すると、その旨をユーザに通知するためのメッセージをディスプレイ上に表示するものであり、そのメッセージには処理対象ファイルおよび翻訳結果として出力されたファイルの各ファイル名が含まれる。
【００２３】
そのメッセージの作成の際に、処理対象ファイルおよび出力ファイルの各ファイル名の前後に特定情報（タグ）を配置する。
（ｉｉ）テキストの場合
前述の通り、一括翻訳処理では、処理対象のテキストから一括翻訳して翻訳結果テキストを作成する。
【００２４】
その翻訳処理において、処理対象テキスト内に記述されたファイル名を検出し、該ファイル名の前後に特定情報（タグ）を配置して他の翻訳結果と共に翻訳結果テキストを作成する。
この処理において、ファイル名はそれを特徴付ける情報を元にして検出する。すなわち、格納ドライブを示すためのドライブ情報（例えば、ドライブａであれば“ａ：”）、格納ディレクトリを示すためのディレクトリ情報（例えば“￥”）、拡張子を示すための情報（例えば、“．”と英字３文字など）が含まれる記述をファイル名を示す情報として用いる。
【００２５】
ここで上記のタグについてさらに詳しく説明する。このタグは所定のコードである。そしてこの所定のコードはパソコン１内で定義されたコードであるがこのパソコン１のディスプレイ２上ではユーザから認識できないコードである。このようなコードの一例としては制御コード（キャリッジリターン等）があげられる。
【００２６】
図５は本発明において用いられるタグを図解的に示す図である。本図の例は、図３に示すファイル名に対してタグを埋め込んだ場合を示す。タグ（前記の所定のコード）は、ファイル名Ｆの前後にそれぞれ、先頭タグＴｈおよび末尾タグＴｔとして埋め込まれ、ファイルオープンプログラムはその前後にそれぞれ埋め込まれた２つのタグＴｈおよびＴｔによって挟まれた文字データをファイル名Ｆとして認識する。上記ファイルオープンプログラムもまた本発明において重要なプログラムであり、後に詳しく説明する。なお図５において先頭タグＴｈおよび末尾タグＴｔを点線で示したのは、ディスプレイ２上でユーザから認識できないことを表すためである。
【００２７】
再び図４に戻ると、第２ステップ（Ｓ１２）において、ユーザがそのファイル名Ｆの部分をマウス３にてクリックする。この第２ステップ（Ｓ１２）は、図１のフローチャートにおいて示した第２ステップ（Ｓ２）に相当する。
図４の第３ステップ（Ｓ１３）においては、マウス３によりクリックされたファイル名に付加された拡張子により関連づけられたアプリケーションを起動し、第４ステップ（Ｓ１４）においては、その起動されたアプリケーションによって、上述のクリックされたファイル名に相当するファイルを、ディスプレイ２上に、オープンする。これら第３ステップ（Ｓ１３）および第４ステップ（Ｓ１４）については、図６および図７のフローチャートの中で具体的に説明する。
【００２８】
図６は本発明の方法を実施するための具体的なフローチャートを示す図（その１）、
図７は同図（その２）である。
これら図６および図７のうち、本発明の特徴を特に表すのは図６のフローチャートである。
【００２９】
図６の第１ステップＳ２１において、前述したテキストやメッセージ内の、ファイル名Ｆが表示される部分に、前述したタグＴｈおよびＴｔを埋め込む。この第１ステップ（Ｓ２１）は図４の第１ステップ（Ｓ１１）に相当する。
図６の第２ステップ（Ｓ２２）は、ユーザがパソコン１の使用を開始してから後のステップであり、パソコン１はディスプレイ２上に、テキストやメッセージを表示する。
【００３０】
第３ステップ（Ｓ２３）では、ディスプレイ２上に現れる種々の画面の所要部分がユーザによってクリックされる。
第４ステップ（Ｓ２４）では、ユーザによる上記の画面のクリックが、タグ（Ｔｈ，Ｔｔ）またはそれらタグにより挟まれたファイル名に対するクリックか否か判断する。
【００３１】
第５ステップ（Ｓ２５）において、ユーザによる前述の画面のクリックが、タグ（Ｔｈ，Ｔｔ）に対するクリックであるものと判断されると、ファイルオープンプログラムが起動される。すなわち、ファイル名Ｆに埋め込まれたタグ（Ｔｈ，Ｔｔ）をマウス３によりクリックすることにより起動される該ファイルオープンプログラムをパソコン１内に予めインストールし、このタグにより特定される当該ファイル名をパラメータとしてファイルオープンプログラムを実行するようにする。このパラメータとしてのファイル名はタグＴｈとタグＴｔの間から該プログラムにより抜き取られ、判別される。このファイルオープンプログラムとしては、例えばオペレーティングシステム（ＯＳ）としての“ｓｈｅｌｌ．ｅｘｅ”を利用することができる。この“ｓｈｅｌｌ．ｅｘｅ”が呼び出されると、図７に示すフローチャートに沿って通常のＯＳの動作が開始される。
【００３２】
図７の第６ステップ（Ｓ２６）においては、上述のファイルオープンプログラム（ｓｈｅｌｌ．ｅｘｅ）を実行して、当該ファイル名Ｆに予め付加された拡張子が、パソコン１内にファイルタイプとして登録されていると判断したときは、その拡張子によって関連づけられたアプリケーションをさらに起動する。この拡張子は、図２において、“ｔｘｔ”や“ｔｒｃ”として一例が示されており、図３においては“ｂｍｐ”として一例が示されている。上記“ｔｘｔ”が拡張子として付加されているときは、テキストを編集可能な状態にすることができ、ワープロ機能あるいはメモ帳機能（ウインドウズ）が働く。
【００３３】
図７の第７ステップ（Ｓ２７）では、ファイルタイプに登録されているアプリケーションを起動する。
次の第８ステップ（Ｓ２８）においては、マウス３によりクリックされたファイルをオープンし、上記のワープロ機能等によってそのファイルの内容を編集可能な状態にする。
【００３４】
なお上記の第６ステップ（Ｓ２６）の結果が「ＮＯ」であれば、第９およびステップ（Ｓ２９）および第１０ステップ（Ｓ３０）が実行される。
本発明においては、第５ステップ（Ｓ２５）に連動して、ファイルオープン機能にさらに付加した機能を実現できる。これは拡張子を適当に設定する、または拡張子に関連付けるアプリケーションを変更することにより可能である。その付加機能の態様を以下に示す。
【００３５】
（ｉ）マウス３を操作して、メッセージ中の出力ファイルの内容を外部に送信することまたは印刷することができる。
（ｉｉ）マウス３を操作して、テキスト中のファイルの内容を外部に送信することまたは印刷することができる。
（ｉｉｉ）マウス３を操作して、音声データまたは画像データを含むファイルの内容を外部に送信すること、またはその画像データを含むファイルの内容を印刷することができる。
【００３６】
本発明を実施するに当り、図２に示す、プログラム等の記録媒体収容部４には、下記のプログラム記録媒体がセットされる。
パソコン１によってそのディスプレイ２上に表示されたファイル名に相当するファイルを対象として所定の処理を実行するためのプログラムを記録した記録媒体である。
【００３７】
（ｉ）そのプログラムは、処理結果を通知するファイルの識別情報（ファイル名）を含むメッセージを表示させるものであり、該メッセージ内のファイル識別情報の部分にそれを特定するための特定情報（タグ）を埋め込むものである。
（ｉｉ）また、そのプログラムは、処理対象テキスト内のファイル識別情報（ファイル名）を検出し、該処理対象テキストから該ファイル識別情報を認識するための特定情報（タグ）を含む出力テキストを作成するものである。
【００３８】
（ｉｉｉ）上述した記録媒体に記録されたプログラムは、ファイル識別情報がマウス３によりクリックされたことを特定情報により検出し、特定される当該ファイル識別情報をパラメータとしてファイルに対する処理を実行させるようにする。例えば、該ファイルの内容を表示、印刷、外部に送信するいずれかの処理を実行させる。
【００３９】
（ｉｖ）上述した記録媒体に記録されたプログラムは、特定された当該ファイル識別情報に付加された属性（拡張子）とアプリケーションプログラムが関連付けられていれば、当該ファイルを処理対象として当該ファイルの属性に関連付けられたアプリケーションプログラムを起動させるようにする。
最後に本発明における各部の実際の例を示しておく。
【００４０】
図８は出力ファイルが展開されたことを通知するためのメッセージの一例を示す図であり、実際にパソコン１のディスプレイ２上に表示されたものである。本図中のファイル名“￥ａｔｌａｓ  Ｖ５￥利用者辞書０１．ＴＸＴ”（ＴＸＴは拡張子）をマウス３で直接クリックすれば、そのファイルの中身がオープンされる。
【００４１】
図９はテキストの一例を示す図であり、実際にパソコン１のディスプレイ２上に表示されたものである。本図中のファイル名“ＣＥＮＴＡＬＲＴ．ＴＸＴ”や“ＡＵＴＯＥＸＥＣ．ＢＡＴ”（ＢＡＴは拡張子）をマウス３で直接クリックすれば、そのファイルの中身がオープンされる。
図１０は出力ファイルが展開されたことを通知するためのメッセージの一例を示す図であり、日英／英日翻訳ソフトを実行したときの例である。各ファイル名には既述したタグが埋め込んであり、アンダーラインが引かれて見える。
【００４２】
図１１は図１０に示すメッセージ中のファイル名をマウスによりクリックした様子を示す図である。本図中のファイル名Ｆで示されるファイルをオープンしてこれを編集したいというユーザの要求があったとき、ユーザは単にマウス３によりその部分にカーソルＣを合わせ、左ボタンをダブルクリックする。
図１２は図１１におけるファイル名Ｆをクリックしたことによりオープンされたファイルの例を示す図である。図１１に示すファイル名Ｆをクリックすると、このファイルに該当するアプリケーションが起動され、図１２に示すようにオープンされる。
【００４３】
図１２に示したファイルは、さらに外部にメール送信したり、プリンタで印刷することもできる。フロッピーに保存することも、コピーすることもできる。この場合、ファイルを表示させることなく、メール送信したり、印刷するようにしても良い。このメール送信、プリンタでの印刷処理、保存、コピー処理は、本発明のプログラムの機能としても実現できるし、予めパソコンにインストールされている他のアプリケーションを起動させ実行させることで実現できる。
【００４４】
図１３はオープンの対象となるファイルに対しさらに別の処理を行う例を示す図である。同図の（Ａ）は、図１１におけるファイル名Ｆにマウス３のカーソルＣを合わせた後、右ボタンをクリックして処理のメニューが表示された画面を示す。
ここでユーザが、オープンの対象となったファイルをプリンタにて印刷したいときは、図１３の（Ｂ）に示すようにメニューの中の“印刷”にカーソルＣを合わせてダブルクリックすると、図１３の（Ｃ）に示すようにプリンタでの印刷が実行される。
【００４５】
【発明の効果】
以上説明したように本発明によれば、メッセージやテキスト中にファイル名が記述されているとき、従来のように面倒な操作を介在させることなく、単にマウスでそのファイル名を直接クリックするだけで、該当するファイルを迅速にオープンすることができる。
【図面の簡単な説明】
【図１】本発明の使用形態を示すフローチャートである。
【図２】本発明の使用形態の第１例を示す図である。
【図３】本発明の使用形態の第２例を示す図である。
【図４】本発明のファイル処理制御方法を実施するためのフローチャートを示す図である。
【図５】本発明において用いられるタグを図解的に示す図である。
【図６】本発明の方法を実施するための具体的なフローチャートを示す図（その１）である。
【図７】本発明の方法を実施するための具体的なフローチャートを示す図（その２）である。
【図８】出力ファイルが展開されたことを通知するためのメッセージの一例を示す図である。
【図９】テキストの一例を示す図であり、実際にパソコン１のディスプレイ２上に表示されたものである。
【図１０】出力ファイルが展開されたことを通知するためのメッセージの一例を示す図であり、日英／英日翻訳ソフトを実行したときの例である。
【図１１】図１０に示すメッセージ中のファイル名をマウスによりクリックした様子を示す図である。
【図１２】図１１におけるファイル名Ｆをクリックしたことによりオープンされたファイルの例を示す図である。
【図１３】オープンの対象となるファイルに対しさらに別の処理を行う例を示す図である。
【符号の説明】
１…コンピュータ（パソコン）
２…ディスプレイ
３…ポインティングデバイス（マウス）
４…プログラム等の記憶媒体収容部
Ｔｈ，Ｔｔ…タグ
Ｆ…ファイル名
【図１】
0003599563.tif 000002
【図２】
0003599563.tif 000003
【図３】
0003599563.tif 000004
【図４】
0003599563.tif 000005
【図５】
0003599563.tif 000006
【図６】
0003599563.tif 000007
【図７】
0003599563.tif 000008
【図８】
0003599563.tif 000009
【図９】
0003599563.tif 000010
【図１０】
0003599563.tif 000011
【図１１】
0003599563.tif 000012
【図１２】
0003599563.tif 000013
【図１３】
0003599563.tif 000014